(57)【特許請求の範囲】
【請求項１】
第１の孔を画成する中空で環状をなす基部と、
前記基部と位置合わせされて第２の孔を画成する中空で環状をなす下カバーと、
前記基部と前記下カバーとの間に挟持されて、前記第１の孔に向かって配置されているとともに複数の発光ダイオードが設けられている第１の面および前記第２の孔に向かって配置されている第２の面を有する基板と、
上カバーと、
透光部材と、
を備え、
前記基板の前記第２の面が、前記下カバーの前記第２の孔に直接的に面し、
前記上カバーと前記下カバーとの間に前記基部が位置するように、当該上カバーは当該基部に固定され、
前記透光部材は前記上カバーと前記基部との間に挟持され、
前記基部には複数のネジ孔が設けられ、前記上カバーには、前記基部の前記複数のネジ孔とそれぞれ位置合わせされた複数の上孔が設けられ、前記下カバーには、前記基部の前記複数のネジ孔とそれぞれ位置合わせされた複数の下孔が設けられ、
複数のボルトが、前記複数の下孔をそれぞれ貫通するように挿入されて前記複数のネジ孔にそれぞれ螺入され、複数の別のボルトが、前記複数の上孔をそれぞれ貫通するように挿入されて前記複数のネジ孔にそれぞれ螺入されていることを特徴とする高放熱ランプ。
【請求項２】
前記第２の孔は、第１のセクションと、前記第１のセクションよりも直径が小さい第２のセクションとを有し、
前記第１のセクションは、前記第２のセクションと前記基部との間に介在し、前記基部と前記下カバーとが接合した状態で、前記第１のセクションと前記第２のセクションと前記基部とで、前記基板を保持するための溝を画成している
ことを特徴とする請求項１に記載の高放熱ランプ。
【請求項３】
前記透光部材と前記基板との間に挟持されるとともに前記第１の孔の中に配置される内反射カップをさらに備えたことを特徴とする請求項１に記載の高放熱ランプ。
【請求項４】
前記複数の上孔および前記複数の下孔は皿孔であることを特徴とする請求項１に記載の高放熱ランプ。
【請求項５】
前記上カバーには複数の上孔が設けられ、前記基部には複数の中間孔が設けられ、前記下カバーには、前記複数の上孔および前記複数の中間孔とそれぞれ位置合わせされた複数のネジ孔が設けられ、
複数のボルトが、前記複数の上孔および前記複数の中間孔をそれぞれ貫通するように挿入されて前記複数のネジ孔にそれぞれ螺入されている
ことを特徴とする請求項１に記載の高放熱ランプ。
【請求項６】
前記上カバーの上に配置された外反射カップをさらに備えたことを特徴とする請求項１に記載の高放熱ランプ。
【請求項７】
前記下カバーに固定された伝熱管をさらに備え、前記伝熱管は前記第２の孔と連通した液体流路を有することを特徴とする請求項１に記載の高放熱ランプ。
【請求項８】
前記基板は、前記発光ダイオードを保持するために、当該基板の前記第１の面に形成された溝を有することを特徴とする請求項１に記載の高放熱ランプ。
【発明の詳細な説明】
【技術分野】
【０００１】
本発明は、ランプに関し、より具体的には、高放熱ランプに関する。
【背景技術】
【０００２】
ＬＥＤは、集魚ランプ、スタジアムランプ、ステージランプ、工場ランプなどの様々な照明用途で広く用いられてきた。高出力ランプは、電源が投入されると、大量の熱エネルギーを発生させるため、当該ランプのシェルまたはランプホルダを焼いてしまったり、または、ＬＥＤ自体までも焼いてしまったりする虞がある。
放熱性能が不十分な場合、これまでのＬＥＤランプの用途は大幅に制限される。ＬＥＤランプの中には、放熱モジュールを装備するものがあるが、当該放熱モジュールの装着が複雑であるがゆえにその生産能力を阻害してしまう。
【０００３】
前述した放熱に係る問題を解決するべく、特許文献１に開示されている「ＬＥＤランプ」は、電源接続用基部と、当該基部上に同軸状に配置された漏斗状をなす金属製のランプハウジングと、ランプハウジングの頂部に配置されたＬＥＤモジュールと、ランプシェードとを備えている。
ランプハウジングがその外面に形成された複数のリブを有するとともに、ＬＥＤモジュールが基板および当該基板上に配置された複数の発光ダイオードを有するため、複数のリブのうちの隣接するリブの間に画成される溝を通じて空気対流が促されることによって放熱効率が向上する。
【先行技術文献】
【特許文献】
【０００４】
【特許文献１】台湾実用新案第Ｍ４０４３２４号公報
【発明の概要】
【発明が解決しようとする課題】
【０００５】
しかしながら、ＬＥＤランプハウジングには、製造上の困難性があり、大量生産に適していない。加えて、前述したリブはランプハウジングの両端部にのみ形成されているため、構造強度は向上してもランプの使用には不便である。
【０００６】
本発明は、以上述べた欠点の抑制および／または防止のためになされたものである。
【０００７】
本発明の主たる目的は、構造が強化され製造が容易な高放熱ランプを提供することである。
【課題を解決するための手段】
【０００８】
上記目的を達成するため、本発明に係る高放熱ランプは、第１の孔を画成する中空で環状をなす基部と、当該基部と位置合わせされて第２の孔を画成する中空で環状をなす下カバーと、前記基部と前記下カバーとの間に挟持されて、前記第１の孔に向かって配置されているとともに複数の発光ダイオードが設けられた第１の面および前記第２の孔に向かって配置されている第２の面を有する基板と、を備えている。
【発明の効果】
【０００９】
本発明によれば、基板の両面が基部の第１の孔および下カバーの第２の孔に対しそれぞれ直接的に接するため、熱対流性能が向上する。また、ランプの基部および下カバーが環状をなすため、当該ランプは、構造が強化されるとともに、製造が容易となる。
【図面の簡単な説明】
【００１０】
【図１】本発明の第１実施形態に係る高放熱ランプの斜視図である。
【図２】本発明の第１実施形態に係る高放熱ランプの分解図である。
【図３】本発明の第１実施形態に係る高放熱ランプの断面図である。
【図４】本発明の第２実施形態に係る高放熱ランプの断面図である。
【図５】本発明の第３実施形態に係る高放熱ランプの断面図である。
【発明を実施するための形態】
【００１１】
本発明は、単なる例示を目的として、本発明に係る好適な実施形態を示す添付の図面と共に、以下の説明を参照することで、より明らかになるであろう。
【００１２】
図１−３に例示されるように、本発明の第１の好ましい実施形態に係る高放熱ランプは、環状をなす基部２０と、環状をなす下カバー３０と、基板４０と、上カバー３６と、透光部材４４と、内反射カップ４５と、伝熱管５０と、外反射カップ４６と、を備えている。
【００１３】
基部２０は、複数のネジ孔２２が形成された中空構造であって、基部２０の内側に第１の孔２１が画成されており、基部２０の外面には、電源に接続するための電気接続部２３が設けられている。
【００１４】
下カバー３０は、基部２０と位置合わせされ固定された中空構造であって、下カバー３０の内側に第２の孔３１が画成されている。本実施形態では、第２の孔３１は、第１のセクション３０１と、第１のセクション３０１よりも直径が小さい第２のセクション３０２とを有し、第１のセクション３０１は、第２のセクション３０２と基部２０との間に介在し、基部２０と下カバー３０とが接合した状態で、第１のセクション３０１と第２のセクション３０２と基部２０とで、溝３２を画成している。
下カバー３０には、基部２０のネジ孔２２と位置合わせされた複数の下孔３３が形成されており、複数のボルト３４が、下孔３３を貫通するように挿入されて、ネジ孔２２に螺入される。下孔３３は、ボルト３４の頭部を収容するために皿孔とすることができる。
【００１５】
基板４０は、基部２０と下カバー３０との間に挟持されており、基板４０と基部２０との間、および基板４０と下カバー３０との間には、シール効果を得るための２つのＯリング７１、７２がそれぞれ配置されている。基板４０は、第１の孔２１に向かって配置される第１の面４１と、第２の孔３１に向かって配置される第２の面４２とを有し、第１の面４１に複数の発光ダイオード４３が設けられている。
本実施形態では、基板４０は、溝３２内に配置されており、セラミック基板、金属基板、半導体基板、または複合基板とすることができる。
【００１６】
上カバー３６は基部２０に固定されており、基部２０は、上下カバー３６、３０の間に配置される。上カバー３６には、基部２０のネジ孔２２と位置合わせされた複数の上孔３７が設けられおり、これにより、複数のボルト３８が、上孔３７を貫通するように挿入されて、ネジ孔２２に螺入される。上孔３７は、ボルト３８の頭部を収容するために皿孔とすることができる。
【００１７】
透光部材４４は、上カバー３６と基部２０との間に挟持されており、透光部材４４と基部２０との間、および透光部材４４と上カバー３６との間には、シール効果を得るための２つのＯリング７３、７４がそれぞれ配置されている。透光部材４４は、基板４０の第１の面４１を保護するとともに、発光ダイオード４３から放出される光を透過させる。
【００１８】
内反射カップ４５は、透光部材４４と基板４０との間に挟持されて、第１の孔２１の中に配置されており、基板４０上に配置された発光ダイオード４３からの発光を集束させるために用いられる。
【００１９】
伝熱管５０は、下カバー３０に固定されており、伝熱管５０と下カバー３０との間には、シール効果を得るためのＯリング７５が配置されている。伝熱管５０の内部は、第２の孔３１と連通した液体流路５１であって、放熱効率を向上させるために、液体流路５１に冷却剤を流すことができる。
【００２０】
外反射カップ４６は、上カバー３６上に配置されており、これにより、ユーザが、発光ダイオード４３から発せられる光線の光出射方向を変更することを可能にしている。
【００２１】
上述したのは本発明の第１の好ましい実施形態の構造についてであるが、本発明の高放熱ランプ、その作用効果、およびその使用により達成される具体的な目的について、より良く理解するため、再び図１−３を参照する必要がある。
基板４０は、基部２０と下カバー３０との間に配置されており、基部２０の第１の孔２１および下カバー３０の第２の孔３１とそれぞれ直接的に接する第１と第２の面４１、４２を有し、これにより、基板４０の熱対流を向上させている。
【００２２】
本発明の高放熱ランプの構成要素は、ユーザの要求に応じて、選択的に用いることができる。例えば、ユーザが集光を向上させることを望む場合、または光線方向を変更することを望む場合には、透光部材４４と基板４０との間に内反射カップ４５を配置することで光を収集もしくは集束することが可能であり、または上カバー３６上に外反射カップ４６を配置することで光の方向を変更することが可能である。
【００２３】
放熱効率を向上させるために、ユーザは、第２の孔３１と連通した伝熱管５０を下カバー３０に装着することができ、これにより、液体流路５１内の冷却剤を、基板４０の第２の面４２に直接接触させる。
【００２４】
図４を参照する。本発明の第２の好ましい実施形態よる高放熱ランプは、以下の点を除いて、第１の実施形態と同様である。
上カバー３６Ｂには複数の上孔３７Ｂが設けられており、環状をなす基部２０Ｂは複数の中間孔２１Ｂを有し、環状をなす下カバー３０Ｂには、上孔３７Ｂおよび中間孔２１Ｂと位置合わせされた複数のネジ孔３３Ｂが形成されている。これにより、複数のボルト３８Ｂが、上孔３７Ｂと中間孔２１Ｂを貫通するように挿入されて、ネジ孔３３Ｂに螺入される。
第２の実施形態の高放熱のランプの組み立てに必要なのは、一方の側からボルト３８Ｂを挿入することのみであり、これにより組立時間が節約される。上孔３７Ｂは皿孔である。
【００２５】
図５を参照して、本発明の第３の好ましい実施形態による高放熱ランプは、基部２０Ｃと、下カバー３０Ｃと、基板４０Ｃと、を備える。基部２０Ｃは、環状であって、第１の孔２１Ｃを有し、下カバー３０Ｃは、環状をなし、第２の孔３１Ｃを有する中空構造であって、基部２０Ｃと位置合わせされている。
基板４０Ｃは、基部２０Ｃと下カバー３０Ｃとの間に挟持されており、第１の孔２１Ｃに向けて配置される第１の面４１Ｃと、第２の孔３１Ｃに向けて配置される第２の面４２Ｃとを有する。基板４０Ｃの第１の面４１Ｃには、発光ダイオード４３Ｃおよび内反射カップ４５Ｃを保持するための溝４７Ｃが形成されている。
【００２６】
本発明に係るいくつかの実施形態について図示および説明したが、本発明の範囲から逸脱することなく、さらなる実施形態が実施され得ることは、当業者には明らかである。
【図１】
0005893682.tif 000002
【図２】
0005893682.tif 000003
【図３】
0005893682.tif 000004
【図４】
0005893682.tif 000005
【図５】
0005893682.tif 000006